(57)【要約】【課題】着用感を損なうことを抑制しつつ、捲れ返りを抑制することのできる腹冷え抑制胴衣を提供する。【解決手段】腹冷え抑制胴衣１０は、円筒状に形成された本体１１と、芯材１３とを備える。本体１１は、伸縮性の生地で形成されている。芯材１３は、本体１１において互いに周方向の反対側となる所定部分にのみ設けられ、本体１１の両開口部にわたって延びている。芯材１３は、プラスチックにより１本の棒状（直線状）に形成されており、本体１１の縮み力により使用者の胴部に押し付けられた場合に、使用者の胴部に沿って変形する程度の可撓性を有している。芯材１３は、袋１２の内部に収容されている。【選択図】      図１
2011094269.tif 000002
【特許請求の範囲】
【請求項１】
筒状に形成された本体と、
前記本体において互いに周方向の反対側となる所定部分にのみ設けられ、前記本体の両開口部にわたって延びる可撓性の芯材と、
を備えることを特徴とする腹冷え抑制胴衣。
【請求項２】
筒状に形成された本体と、
前記本体において使用者の両脇に対応する所定部分にのみ設けられ、前記本体の両開口部にわたって延びる可撓性の芯材と、
を備えることを特徴とする腹冷え抑制胴衣。
【請求項３】
前記本体の前記所定部分に区画部材により収容室が形成され、前記芯材は前記収容室内に収容されており、
同一の引っ張り力に対する前記区画部材の伸び量は前記本体の伸び量よりも小さいことを特徴とする請求項１又は２に記載の腹冷え抑制胴衣。
【請求項４】
前記区画部材は袋状に形成されており、前記区画部材の内部が前記収容室となっていることを特徴とする請求項３に記載の腹冷え抑制胴衣。
【発明の詳細な説明】
【技術分野】
【０００１】
本発明は、胴部に着用することにより腹の冷えを抑制する筒状の胴衣に関する。
【背景技術】
【０００２】
従来、この種のいわゆる腹巻として、保温性に優れるニット地によって筒状に形成され、伸縮性を有するものがある（例えば、特許文献１参照）。この特許文献１に記載のものは、腹巻の両開口縁を折返して二重にすることにより、伸縮力（締付け力）を強くして腹巻の上下端が捲れ返ることを抑制している。
【先行技術文献】
【特許文献】
【０００３】
【特許文献１】登録実用新案第３０４２９８６号公報
【発明の概要】
【発明が解決しようとする課題】
【０００４】
ところで、特許文献１に記載のものでは、使用者が腹巻を着用して活動することを想定しており、使用者のシルエットが崩れることを抑制することを目的として、腹巻の開口部が捲れ返ることを抑制している。このように使用者が活動中であれば、腹巻の締付け力が強くなったとしても、使用者がそれほど圧迫を感じることはない。
【０００５】
これに対して、主に就寝中に使用される腹巻（腹冷え抑制胴衣）では、腹の冷えを抑制するとともに、快適な睡眠を妨げないことが重要となる。したがって、特許文献１に記載のものは、着用感の点で未だ改善の余地を残すものとなっている。
【０００６】
本発明は、こうした実情に鑑みてなされたものであり、着用感を損なうことを抑制しつつ、捲れ返りを抑制することのできる腹冷え抑制胴衣を提供することを主たる目的とするものである。
【課題を解決するための手段】
【０００７】
本発明は、上記課題を解決するために、以下の手段を採用した。
【０００８】
第１の発明は、筒状に形成された本体と、前記本体において互いに周方向の反対側となる所定部分にのみ設けられ、前記本体の両開口部にわたって延びる可撓性の芯材と、を備えることを特徴とする。
【０００９】
また、第２の発明は、筒状に形成された本体と、前記本体において使用者の両脇に対応する所定部分にのみ設けられ、前記本体の両開口部にわたって延びる可撓性の芯材と、を備えることを特徴とする。
【００１０】
第１及び第２の発明によれば、腹冷え抑制胴衣において本体が筒状に形成されているため、この本体の開口部に使用者の胴部を通して腹冷え抑制胴衣を着用することができる。ここで、本体において、互いに周方向の反対側となる所定部分、すなわち使用者の両脇に対応する所定部分に、本体の両開口部にわたって延びる芯材が設けられている。このため、本体の開口部が捲れ返ろうとする力に対して芯材が抵抗することとなり、本体の捲れ返りを抑制することができる。さらに、本体において互いに周方向の反対側となる所定部分にのみ、すなわち本体において互いに最も離れた部分にのみ、芯材が設けられているため、最低限の芯材により効果的に本体の捲れ返りを抑制することができる。
【００１１】
また、このように使用者の両脇に対応する所定部分にのみ、芯材が設けられている構成によれば、睡眠中に使用者の背中が芯材により圧迫されることを抑制することができる。さらに、芯材は可撓性であるため、使用者の体型に合わせて芯材を変形させることができる。その結果、腹冷え抑制胴衣の着用感を損なうことを抑制することができる。
【００１２】
第３の発明では、第１又は第２の発明において、前記本体の前記所定部分に区画部材により収容室が形成され、前記芯材は前記収容室内に収容されており、同一の引っ張り力に対する前記区画部材の伸び量は前記本体の伸び量よりも小さいことを特徴とする。
【００１３】
上記構成によれば、本体の前記所定部分に区画部材により収容室が形成され、この収容室内に芯材が収容されている。このため、本体の捲れ返りは、この区画部材を介して芯材により抑制される。このため、区画部材と芯材との隙間が大きくなった場合には、本体の捲れ返ろうとする力が芯材に伝わりにくくなり、本体の捲れ返りを抑制する効果が低下するおそれがある。
【００１４】
この点、同一の引っ張り力に対する区画部材の伸び量は本体の伸び量よりも小さいため、腹冷え抑制胴衣に作用する引っ張り力により本体が伸びた場合であっても、区画部材の伸び量を本体の伸び量よりも小さくすることができる。その結果、区画部材と芯材との隙間が大きくなることを抑制して、本体の捲れ返りを好適に抑制することができる。
【００１５】
なお、同一の引っ張り力に対する前記区画部材の伸び量が前記本体の伸び量よりも小さい構成として、引っ張りに対する区画部材の強度が引っ張りに対する本体の強度よりも高くされた構成や、区画部材が非伸縮性の素材で形成されるとともに本体が伸縮性の素材で形成された構成等を採用することができる。非伸縮性の素材としては、糸同士の隙間が小さい織布等を採用することができる。
【００１６】
本体の前記所定部分に区画部材により収容室が形成される場合に、収容室の一部が本体により形成されていると、その部分の伸び量が大きくなるおそれがある。こうした状態になると、収容室内において芯材の周囲に隙間が生じ易くなるため、本体の捲れ返りを抑制する効果が低下したり、収容室の内面に芯材の端部が引っ掛かったりするおそれがある。
【００１７】
この点、第４の発明では、第３の発明において、前記区画部材は袋状に形成されており、前記区画部材の内部が前記収容室となっているため、芯材全体を区画部材により覆うことができる。このため、収容室内において芯材の周囲に隙間が生じることを抑制することができる。したがって、本体の捲れ返りを抑制する効果が低下することを、一層抑制することができる。さらに、区画部材の内面に芯材の端部が引っ掛かることを抑制することができるため、芯材の端部により本体や区画部材が突き破られる可能性を低減することができる。
【図面の簡単な説明】
【００１８】
【図１】腹冷え抑制胴衣を示す斜視図。
【図２】腹冷え抑制胴衣の使用態様を示す平面図。
【発明を実施するための形態】
【００１９】
以下、主に就寝中に使用される腹冷え抑制胴衣に具体化した一実施形態について、図１,図２（ａ）を参照しつつ説明する。
【００２０】
図１に示すように、腹冷え抑制胴衣１０は、筒状に形成された本体１１を備えている。本体１１は、その両開口部間の長さ（図の上下方向の長さ）が一定となるように形成されているとともに、その太さ（図の左右方向の幅）が両開口部間（長さ方向）で一定となるように形成されている。本体１１は、矩形状の生地を丸めてその両端を縫い合わせる（固定する）ことにより、円筒状に形成されている。本体１１は、伸縮性の生地で形成されている。伸縮性の生地としては、アクリル系長繊維とポリウレタン弾性糸とを交編した生地等を採用することができる。こうした伸縮性の生地は、引っ張り力が加わったときに比較的大きく伸びるとともに、引っ張り力が除かれたときに伸びる前の状態まで縮むものである。
【００２１】
本体１１の長さ方向の両端部、すなわち本体１１の両開口部には、環状の伸縮ゴム１４が取付けられている。伸縮ゴム１４は、使用者の快適な睡眠を妨げない程度の縮み力を発生させるものであり、本体１１の両開口部を使用者の胴部に密着させる。
【００２２】
本体１１の外周面には、周方向の２箇所に袋１２（区画部材）が縫い付けられている。これらの袋１２は、本体１１の中心軸に関して対称となる部分にそれぞれ縫い付けられており、すなわち本体１１において互いに周方向の反対側となる所定部分に縫い付けられている。この所定部分は、腹冷え抑制胴衣１０の使用時において、使用者の両脇に対応する部分であり、それ以外の部分には袋１２が取付けられていない。
【００２３】
これらの袋１２は、本体１１の両開口部（長さ方向の両端部）にわたって延びており、本体１１において長さ方向の全長にわたって縫い付けられている。袋１２は、フェルトで形成されており、引っ張りに対する袋１２の強度は引っ張りに対する本体１１の強度よりも高くなっている。このため、同一の引っ張り力が袋１２と本体１１とに作用した場合、袋１２の伸び量は本体１１の伸び量よりも小さくなる。
【００２４】
図中の一点鎖線で囲む部分を拡大して示すように、上記袋１２の内部（収容室）には、円柱状の芯材１３が収容されている。芯材１３は、その外径が袋１２の内径よりも若干小さくなるように形成されている。芯材１３は、袋１２の内部全体に行きわたるように、すなわち袋１２の全長にわたって設けられている。芯材１３は、プラスチックにより１本の棒状（直線状）に形成されている。芯材１３は、本体１１又は伸縮ゴム１４の縮み力により使用者の胴部に押し付けられた場合に、使用者の胴部に沿って変形する程度の可撓性を有している。
【００２５】
次に、図２（ａ）を参照して、腹冷え抑制胴衣１０の使用態様について説明する。なお、図２（ａ）は、使用者が仰向けに寝ている状態を示す平面図である。
【００２６】
同図に示すように、腹冷え抑制胴衣１０が使用者の胴部に着用されており、使用者の両脇部分に袋１２（芯材１３）が配置されている。このため、芯材１３に使用者の体重が掛かることがなく、芯材１３により使用者の背中等が圧迫されることを抑制することができる。
【００２７】
また、腹冷え抑制胴衣１０が使用者の胴部に着用されることに伴って本体１１が伸ばされており、本体１１及び伸縮ゴム１４の縮み力により本体１１が使用者の胴部に密着している。このとき、本体１１又は伸縮ゴム１４の縮み力により、袋１２（芯材１３）が使用者の脇腹に押し付けられた状態となっており、袋１２（芯材１３）が使用者の脇腹に沿って変形している。このため、芯材１３の端部が使用者の脇腹に当たることを抑制することができる。したがって、腹冷え抑制胴衣１０の着用感を損なうことを抑制することができる。
【００２８】
なお、使用者が一時的に横向きの状態になったとしても、芯材１３はフェルトで形成された袋１２内に収容されているため、使用者の脇腹が芯材１３により強く圧迫されることを抑制することができる。さらに、袋１２（芯材１３）は本体１１の外周面に取付けられているため、芯材１３による脇腹の圧迫が一層緩和される。
【００２９】
そして、睡眠中に使用者が体を動かして、本体１１の長さ方向の端部（本体１１の開口部）が捲れ返ろうとする力が生じた場合には、この力に対して芯材１３が抵抗することとなる。すなわち、本体１１の開口部が捲れ返ろうとすると、芯材１３を曲げようとする力が作用するが、これに対して芯材１３が抗力を発生することにより、開口部の捲れ返りが抑制される。
【００３０】
さらに、本体１１において互いに周方向の反対側となる所定部分にのみ、すなわち本体１１において互いに最も離れた部分にのみ、芯材１３が設けられている。こうした構成によれば、本体１１の両開口部において、使用者の両脇に対応する部分はもちろんのこと、使用者の腹や背中に対応する部分の捲れ返りも抑制することができる。すなわち、最低限の芯材１３により、効果的に本体１１の捲れ返りを抑制することができる。
【００３１】
また、腹冷え抑制胴衣１０に引っ張り力が作用した場合、袋１２と芯材１３との隙間が大きくなると、本体１１の捲れ返ろうとする力が芯材１３に伝わりにくくなり、本体１１の捲れ返りを抑制する効果が低下するおそれがある。これに対して、芯材１３は袋１２内に収容されており、フェルトで形成された袋１２の伸び量は伸縮性の生地で形成された本体１１の伸び量よりも小さくなる。すなわち、引っ張り力に対して、主に本体１１が伸びることとなり、袋１２と芯材１３との隙間が大きくなることが抑制される。したがって、腹冷え抑制胴衣１０に引っ張り力が作用した場合であっても、本体１１の捲れ返りを抑制する効果が低下することを抑制することができる。
【００３２】
さらに、芯材１３全体が袋１２によって覆われており、袋１２と芯材１３との隙間が大きくなることが抑制されることから、袋１２の内面に芯材１３の端部が引っ掛かることを抑制することができる。一方、袋１２の内面に芯材１３の端部が引っ掛かると、袋１２の縮む力が芯材１３の端部に作用した状態となる。このため、袋１２の内面が芯材１３の端部により強く押圧され、袋１２が破れるおそれがある。この点、上記構成によれば、こうした状態が生じることを抑制することができるため、袋１２が破れる可能性を低減することができる。その結果、腹冷え抑制胴衣１０の使用可能期間を延ばすことができる。
【００３３】
なお、腹冷え抑制胴衣１０が使用者に着用されていない状態において、腹冷え抑制胴衣１０の両側が芯材１３により直線状に延ばされた状態となる。このため、腹冷え抑制胴衣１０を畳んだり、干したりする場合に、その形状を整えることが容易となる。
【００３４】
上記実施形態に限定されず、例えば次のように実施することもできる。
【００３５】
・袋１２の内部に複数の芯材を収容したり、芯材１３を内部に収容している袋１２を、使用者の両脇に対応する範囲内で並列に複数設けたりしてもよい。これらの構成によれば、本体１１が捲れ返ろうとする力に対する芯材の抗力の大きさを容易に調節することができる。
【００３６】
・芯材１３の形状は円柱状に限定されず、平板状の形状等を採用してもよい。要するに、芯材１３の形状は、袋１２内に収容可能なものであればよい。特に、平板状の芯材の板面が本体１１の外周面に沿うように、芯材を袋１２内に収容するとよい。そして、芯材の外部寸法が袋１２の内部寸法よりも若干小さくなるように形成することにより、平板状の芯材の板面が本体１１の外周面に沿った状態を維持することができる。こうした構成によれば、本体１１の開口部のうち使用者の腹や背中に対応する部分が捲れ返ろうとする力に対して、芯材の抗力を大きくすることができる。さらに、使用者が一時的に横向きの状態になった場合に、使用者の脇腹が芯材により圧迫されることを一層緩和することができる。
【００３７】
・芯材１３の材質はプラスチックに限定されず、竹や金属の薄板等、可撓性を有するその他の材質を採用することもできる。
【００３８】
・袋１２を、糸同士の隙間が小さい織布等、非伸縮性の生地で形成してもよい。こうした構成であれば、腹冷え抑制胴衣１０への引っ張り力に対して、主に本体１１が伸びることとなり、袋１２と芯材１３との隙間が大きくなることを一層抑制することができる。
【００３９】
・芯材１３を収容する収容室は袋１２に限定されず、本体１１の外周面に生地（区画部材）を縫い付け、本体１１と生地との間に形成される空間を収容室としてもよい。こうした構成によれば、収容室を形成するための加工が容易となるため、腹冷え抑制胴衣のコストを低減することができる。この場合、同一の引っ張り力に対するこの生地の伸び量は本体１１の伸び量よりも小さいことが望ましい。こうした構成によれば、腹冷え抑制胴衣に作用する引っ張り力により本体１１が伸びた場合であっても、生地の伸び量を本体１１の伸び量よりも小さくすることができる。その結果、生地と芯材１３との隙間が大きくなることを抑制して、本体１１の捲れ返りを抑制することができる。ただし、この場合には、収容室の一部が本体１１により形成されることとなるため、その部分の伸び量が大きくなるおそれがある。したがって、上記実施形態のように、袋１２により収容室を形成することが更に望ましい。
【００４０】
・袋１２を省略して、芯材１３を本体１１の外周面に直接縫い付けることもできる。また、芯材１３を本体１１の内周面に取り付けることもできる。この場合には、使用者の脇腹が芯材により圧迫されることを緩和するために、平板状の芯材を採用するとよい。
【００４１】
・図２（ａ）に示す腹冷え抑制胴衣１０を、図２（ｂ）に示す腹冷え抑制胴衣１１０のように変形してもよい。すなわち、本体１１１を非伸縮性の生地で形成したり、上記伸縮ゴム１４を省略したりすることも可能となる。こうした構成によれば、本体１１１により使用者の胴部が締付けられることを抑制することができるため、腹冷え抑制胴衣１１０の着用感を向上させることができる。ただし、この場合には、使用者の胴部と本体１１１との密着性が低下するため、本体１１１の開口部が捲れ返り易くなる。この点、本体１１１には上記袋１２及び芯材１３が設けられているため、上記実施形態と同様にして本体１１１の捲れ返りを抑制することができる。
【符号の説明】
【００４２】
１０…腹冷え抑制胴衣、１１…本体、１２…袋、１３…芯材。
【図１】
2011094269.tif 000003
【図２】
2011094269.tif 000004